(57)【要約】  ローラー付き美容機器を開示する。本発明の一実施形態によると、使用者が手で把持する本体と、本体の先端に形成され、「Ｖ」字状の夾角を有するように形成された一対の回転体支持部と、一対の回転体支持部にそれぞれ結合されて回転する一対の回転体と、を含むもので、一対の回転体支持部は所定の夾角によって制限され、一対の回転体は所定の距離により限定される。これによって、複数の回転体間の角度と距離を最適化することにより、痛みが少なく、マッサージ効果を格段に向上させることができる効果を奏する。【選択図】図１
2022501145.tif 000002
【特許請求の範囲】
【請求項１】
使用者が手で把持する本体と、
前記本体の先端に形成され、「Ｖ」字状の夾角を有するように形成された一対の回転体支持部と、
前記一対の回転体支持部にそれぞれ結合されて回転する一対の回転体と、を含むものであって、
前記一対の回転体支持部は、夾角が５５°〜９０°であることを特徴とするローラー付き美容機器。
【請求項２】
使用者が手で把持する本体と、
前記本体の先端に形成され、「Ｖ」字状の夾角を有するように形成された一対の回転体支持部と、
前記一対の回転体支持部にそれぞれ結合されて回転する一対の回転体と、を含むものであって、
前記一対の回転体の間の距離は、５ｍｍ〜７．９ｍｍであることを特徴とするローラー付き美容機器。
【請求項３】
前記一対の回転体支持部は、
前記本体の前方に傾いて形成され、前記本体の前面と前記回転体支持部とがなす夾角が１１０°〜１８０°であることを特徴とする請求項１または請求項２に記載のローラー付き美容機器。
【請求項４】
前記回転体支持部は、
先端部には傾斜したテーパ面を備え、後端部には直径が拡張された段差部を設けているシャフトと、
前記段差部に密着して、前記シャフトが挿入される第１ベアリングと、
前記シャフトが挿入され、前記第１ベアリングと一定間隔離隔して配設される第２ベアリングと、を含み、
前記回転体は、
前記シャフトの一部が挿入されて前記先端部が接する溝を有し、前記第２ベアリングの外周面と密着され、前記シャフトを軸に回転し、内部に貫通孔が形成されて内周面が前記第１ベアリングの外周面と密着し、外周面は前記回転体の内周面と結合されるロックナットを含むことを特徴とする請求項１に記載のローラー付き美容機器。
【請求項５】
前記回転体の前記溝は、前記シャフトの前記テーパ面よりも回転軸に対してさらに大きい傾斜を有する円錐端部を備えることを特徴とする請求項４に記載のローラー付き美容機器。
【請求項６】
前記シャフトと前記回転体とは、前記シャフトの直径よりも小さい円状の線形接触部を形成することを特徴とする請求項４に記載のローラー付き美容機器。
【請求項７】
前記ロックナットの一側端部には、貫通孔の直径が小さくなったストッパー部が形成され、前記ロックナットが前記回転体に結合される時に前記ストッパー部が前記第１ベアリングに支持されることを特徴とする請求項４に記載のローラー付き美容機器。
【発明の詳細な説明】
【技術分野】
【０００１】
本発明は、ローラー付き美容機器に関するもので、詳細には、顔、腕、足などに密着させてローリング動作によってマッサージするローラー付き美容機器に関するものである。
【背景技術】
【０００２】
本明細書において他に表示しない限り、この項目で説明する内容は本願の請求範囲に対する従来技術ではなく、また、この項目に含まれるといって従来技術と認められるものではない。
【０００３】
人は、老化の進行に伴って顔面の筋肉が弾力を失い、しわが生じたり、肌のたるみが発生したりする。美容産業の発展に伴い、肉眼で見える肌（特に、顔）のしわやたるみを防止するために、肌の管理に関する機器が開発されている。
【０００４】
一例として、電気の刺激によってコラーゲンと弾性繊維を増生し、肌細胞を再生させるだけでなく、細胞の再生と血流の増加によって肌を健康にし、弾力を与え、肌の保護及び管理を行うことができる美容機器がある。
【０００５】
従来技術は、ハンドピースにボール形状の回転体が回転可能なように結合されており、ハンドピースの内部に電気刺激発生部が設けられて回転体に電気刺激を伝達できるようにしたものであった。
【０００６】
しかし、マッサージの際に、回転体が回転する過程で軸がずれて低周波の伝達が止まったり、強度が変わったりという問題があった。
【０００７】
また、回転体が皮膚に接した状態でローリングする過程で、皮膚がつっぱり過ぎることや、皮膚への刺激が微かでマッサージ効果を得ることができないという欠点があった。
【発明の概要】
【発明が解決しようとする課題】
【０００８】
本発明は、本体に所定の角度で配設される複数の回転体を備えており、複数の回転体間の間隔、角度を最適化してマッサージの効能を向上させるローラー付き美容機器を提供することを目的とするものである。
【課題を解決するための手段】
【０００９】
本発明の目的は、使用者が手で把持する本体と、本体の先端に形成され、「Ｖ」字状の夾角を有するように形成された一対の回転体支持部と、一対の回転体支持部にそれぞれ結合して回転する一対の回転体と、を含むものであって、一対の回転体支持部は夾角が５５°〜９０°のローラー付き美容機器によって達成される。
【００１０】
本発明の他の目的は、使用者が手で把持する本体と、本体の先端に形成され、「Ｖ」字状の夾角を有するように形成された一対の回転体支持部と、一対の回転体支持部にそれぞれ結合して回転する一対の回転体と、を含むものであって、一対の回転体間の距離は５〜７．９ｍｍのローラー付き美容機器によって達成される。
【発明の効果】
【００１１】
本発明の実施形態によれば、複数の回転体間の角度及び距離を最適化することにより、痛みが少なく、マッサージ効果を格段に向上させることができるという効果を奏する。
【図面の簡単な説明】
【００１２】
【図１】本発明の実施形態によるローラー付き美容機器の平面図である。
【図２】本発明の実施形態によるローラー付き美容機器の正面図である。
【図３】本発明の実施形態によるローラー付き美容機器のボール組立体の拡大断面図である。
【図４】本発明の実施形態によるローラー付きボール組立体の組立順序を示した図である。
【図５】本発明の実施形態によるローラー付きボール組立体の組立順序を示した図である。
【図６】本発明の実施形態によるローラー付きボール組立体の組立順序を示した図である。
【図７】本発明の実施形態によるローラー付きボール組立体の組立順序を示した図である。
【発明を実施するための形態】
【００１３】
以下、好適な実施形態を添付図に基づいて詳細に説明すると、次のとおりとなる。
【００１４】
以下で説明する実施形態は、本発明が属する技術分野において通常の知識を有する者が発明を容易に実施できる程度に詳細に説明するためのものであって、これによって本発明の技術的な思想及び範疇が限定されることを意味するものではない。
【００１５】
また、図示した構成要素のサイズや形状等は、説明の明瞭性及び便宜上、過剰に示していることもあるが、本発明の構成及び作用を考慮して特に定義された用語は使用者、運用者の意図または慣例によって変わることがあり、これらの用語に対する定義は、本明細書全般にわたる内容に基づいて判断されなければならない。
【００１６】
添付図のうち、図１は、本発明の実施形態によるローラー付き美容機器の平面図、図２は、本発明の実施形態によるローラー付き美容機器の正面図、図３は、本発明の実施形態によるローラー付き美容機器のボール組立体の拡大断面図、図４乃至図７は、本発明の実施形態によるローラー付きボール組立体の組立順序を示した図である。
【００１７】
図１及び図２に示すように、本発明の実施形態に係るローラー付き美容機器は、使用者が手で把持する本体１００と、本体１００の先端に形成され、「Ｖ」字状の夾角を有するように形成された一対の回転体支持部２００ａ、２００ｂと、一対の回転体支持部２００ａ、２００ｂにそれぞれ結合して回転する一対の回転体３００ａ、３００ｂと、を含んで構成される。
【００１８】
本体１００は、把持し易いように略流線型の形状で、正面から見ると膨らんだ形状からなる。
【００１９】
本体１００には、上端に一対の回転体支持部２００ａ、２００ｂが形成される。各回転体支持部２００ａ、２００ｂは傾いて形成され、両側に対称になるように形成されて略「Ｖ」字状になる。
【００２０】
回転体支持部２００ａ、２００ｂは、先端部に回転体３００ａ、３００ｂが結合され、後端部が本体１００に結合されて「Ｖ」字状になるようにする。
【００２１】
回転体支持部２００ａ、２００ｂは、本体１００から伝達される電気を伝導することができる材質で形成され、電気伝導度が高い真鍮、銅、ステンレス、アルミニウムなどを用いることが好ましい。
【００２２】
回転体支持部２００ａ、２００ｂには、二つのベアリング２０、３０が先端部と後端部との間に一定間隔離隔して配設される。
【００２３】
また、一対の回転体支持部２００ａ、２００ｂは、所定の夾角θ１で対称に形成される。
【００２４】
図１を参照すると、本体１００には、図示された仮想の中心線を基準に両側に対称になるように一対の回転体支持部２００ａ、２００ｂが形成され、その夾角θ１が５５°〜９０°であることが好ましい。
【００２５】
一対の回転体支持部２００ａ、２００ｂの夾角θ１が５５°以下であれば、皮膚を引っ張り過ぎて痛みが生じ、９０°以上であれば、皮膚との密着力が低下してマッサージ効果が減少する恐れがある。
【００２６】
図２を参照すると、一対の回転体支持部２００ａ、２００ｂは、本体１００の前方に傾いて形成されることにより、本体１００の前面と回転体支持部２００ａ、２００ｂは、所定の夾角θ２を有するように形成される。
【００２７】
好ましくは、本体１００の前面と回転体支持部２００ａ、２００ｂとの夾角θ２は、１１０°〜１８０°が適している。
【００２８】
本体１００の中心に示されている仮想の垂直線ＶＬの下部と回転体支持部２００ａ、２００ｂの中心を通る中心線ＣＬとの間の角度を夾角θ２と定義する。
【００２９】
本体１００の前面と回転体支持部２００ａ、２００ｂとの夾角θ２が、１１０°以下であれば、皮膚を引っ張り過ぎて痛みが生じ、１８０°以上であれば、皮膚との密着力が低下してマッサージ効果が減少する虞がある。
【００３０】
また、本体１００の中心に示されている仮想の垂直線の上部と回転体支持部２００ａ、２００ｂの中心を通る中心線ＣＬとの間の角度を夾角θ３と定義する。
【００３１】
夾角θ３＝１８０°− 夾角θ２である。
【００３２】
また、一対の回転体３００ａ、３００ｂ間の距離Ｌ１は、５ｍｍ〜７．９ｍｍが適している。
【００３３】
一対の回転体３００ａ、３００ｂ間の距離Ｌ１が５ｍｍ以下であれば、二つの回転体３００ａ、３００ｂの間に肌が挟まれて痛みが生じる恐れがあり、７．９ｍｍ以上であれば、皮膚との密着力が低下してマッサージ効果が減少する虞がある。
【００３４】
［実験例］
以下では、実施形態の具体的な実験例を説明する。
［表１］は、一対の回転体支持部２００ａ、２００ｂの夾角θ１が３０°〜９０°の範囲で、各角度による皮膚マッサージ（ローリング）をテストした結果を示したものである。
【００３５】
【表１】
2022501145.tif 000003
【００３６】
［表１］を参照してみると、一対の回転体支持部２００ａ、２００ｂの夾角θ１は、６５°、７０°であるときに最良のローリング機能を示していることが分かる。
【００３７】
下記の［表２］は、本体１００の前面と回転体支持部２００ａ、２００ｂとの間の夾角θ２が１１０°〜１８０°の範囲で、各角度による皮膚マッサージ（ローリング）をテストした結果を示したものである。
【００３８】
【表２】
2022501145.tif 000004
【００３９】
表２を参照してみると、本体１００の前面と回転体支持部２００ａ、２００ｂとの間の夾角θ２は、１２０°、１８０°のときに最良のローリング機能を示すことが分かる。
【００４０】
下記の［表３］は、一対の回転体３００ａ、３００ｂ間の距離Ｌ１を３〜１０ｍｍの範囲で１ｍｍ単位で変更し、各距離による皮膚マッサージ（ローリング）をテストした結果を示したものである。
【００４１】
【表３】
2022501145.tif 000005
【００４２】
表３を参照してみると、一対の回転体３００ａ、３００ｂ間の距離Ｌ１は、７ｍｍ、８ｍｍのときに最適のローリング機能を示すことが分かる。
【００４３】
図３に示すように、回転体３００ａ、３００ｂは、回転体支持部２００ａ、２００ｂに備えられているシャフト１０に結合され、第１ベアリング２０、第２ベアリング３０、ロックナット５０を含む。
【００４４】
シャフト１０は回転体支持部２００ａ、２００ｂの内部に結合されるもので、先端部が回転体３００ａ、３００ｂに結合される。
【００４５】
シャフト１０の先端部には、傾斜したテーパ面１２が形成される。また、シャフト１０の先端部は弧状に丸みを帯びた形状にすることができる。
【００４６】
シャフト１０の後端部側には、シャフト１０の直径が拡張され、段差部１４が設けられる。
【００４７】
シャフト１０は、本体１００から伝達される電気を伝導することができる材質で形成される。
【００４８】
好ましくは、シャフト１０は、電気伝導度が高い真鍮、銅、ステンレス、アルミニウムなどからなる。
【００４９】
シャフト１０には、二つの第１、２ベアリング２０、３０が先端部と後端部との間に一定間隔離隔して配設される。
【００５０】
第１ベアリング２０は、内部にシャフト１０が挿入され、シャフト１０の段差部１４に一側が密着して位置する。
【００５１】
このとき、シャフト１０の外周面には、第１ベアリング２０が配設される外側にリング溝１６が形成される。
【００５２】
また、リング溝１６にはスナップリング６０が挿入されて、第１ベアリング２０と密着する。
【００５３】
スナップリング６０は円盤状部材で、内径はリング溝１６の外周面と対応し、外径はシャフト１０の外径よりも大きく拡張して設けられる。
【００５４】
また、リング溝１６にスナップリング６０が挿入されるようにスナップリング６０の一側は切開されている。
【００５５】
第１ベアリング２０は、シャフト１０に設けられる段差部１４とスナップリング６０とによってシャフト１０上に位置付けられる。
【００５６】
第２ベアリング３０は、内部にシャフト１０が結合され、第１ベアリング２０とは一定間隔離隔して配設される。
【００５７】
シャフト１０には第２ベアリング３０の両側にリング溝１７、１８がそれぞれ形成され、各リング溝１６にはスナップリング６０が挿入されて、第２ベアリング３０と密着する。
【００５８】
スナップリング６０は円盤状部材で、内径はリング溝１７、１８の外周面と対応し、外径はシャフト１０の外径よりも大きく拡張して設けられる。
【００５９】
また、リング溝１７、１８にスナップリング６０が挿入されるようにスナップリング６０の一側は切開されている。第２ベアリング３０は、シャフト１０に設けられた二つのスナップリング６０によってシャフト１０上に位置付けられる。
【００６０】
二つのベアリング２０、３０が結合されたシャフト１０には、シャフト１０の先端部を含む一部を挿入するための溝４２が形成された回転体３００ａ、３００ｂが結合される。
【００６１】
回転体３００ａ、３００ｂは球体形状で、使用者の皮膚と接する部分であり、外面には使用者の皮膚組織に刺激を与える多数の面が形成されている。
【００６２】
回転体３００ａ、３００ｂの溝４２の内径は第２ベアリング３０と接し、回転体３００ａ、３００ｂは第２ベアリング３０に支持されて、シャフト１０を軸に回転する。
【００６３】
このとき、シャフト１０の先細りした先端部は、溝４２の傾斜した底の円錐端部４４に接することになる。
【００６４】
ここで、円錐端部４４の傾斜角は、シャフト１０のテーパ面１２の傾斜角と比較して回転軸を基準に、より大きく形成される。
【００６５】
回転体３００ａ、３００ｂは、本体１００から発生する低周波などの電流を、シャフト１０を通じて受け取り、使用者の皮膚に流す。
【００６６】
そのため、回転体３００ａ、３００ｂは、電気伝導性が高い材質からなることが好ましく、電気伝導度が高い真鍮、銅、ステンレス、アルミニウムなどを用いることができる。
【００６７】
回転体３００ａ、３００ｂの溝４２の開口部にはロックナット５０が結合される。
【００６８】
ロックナット５０は内部に貫通孔が形成され、前記貫通孔の内周面が第１ベアリング２０の外周面と密着する。
【００６９】
ロックナット５０の外周面は回転体３００ａ、３００ｂと結合する。
【００７０】
このとき、ロックナット５０の外周面にはねじ山が形成され、これと対応する回転体３００ａ、３００ｂの溝４２の内周面にはねじ山が形成され、回転体３００ａ、３００ｂとロックナット５０とが螺合されることができる。
【００７１】
ここで、ロックナット５０の一側端部には貫通孔の直径が小さくなったストッパー部５２が形成される。
【００７２】
ロックナット５０が回転体３００ａ、３００ｂに結合される時に、回転体３００ａ、３００ｂをシャフト１０に密着させることができるように、ストッパー部５２が第１ベアリング２０に支持される。
【００７３】
図４〜図７は、本発明の実施形態によるローラー付きボール組立体の組立順序を示す。
【００７４】
図４に示すように、シャフト１０に第１ベアリング２０と第２ベアリング３０が一定間隔離隔して挿入される。
【００７５】
第１ベアリング２０は一側が段差部１４に支持され、第２ベアリング３０の両側にはリング溝１７、１８が位置するように第２ベアリング３０をシャフト１０に挿入する。
【００７６】
図５に示すように、第１ベアリング２０の外側に位置したリング溝１６にスナップリング６０が嵌り、第２ベアリング３０の両外側に位置したリング溝１７、１８にスナップリング６０が嵌って、シャフト１０に第１ベアリング２０と第２ベアリング３０が位置付けられる。
【００７７】
図６に示すように、シャフト１０の先端部に回転体３００ａ、３００ｂが結合されて回転体３００ａ、３００ｂの溝４２の内周面と第２ベアリング３０の外周面が密着する。
【００７８】
回転体３００ａ、３００ｂの溝４２にシャフト１０の一部が挿入されると、シャフト１０の後端部からロックナット５０が挿入されてロックナット５０の外周面と回転体３００ａ、３００ｂの溝４２の内周面とが結合する。
【００７９】
これにより、回転体３００ａ、３００ｂとロックナット５０とを螺合することができ、ロックナット５０の貫通孔にはストッパー部５２（図３参照）が設けられ、第１ベアリング２０に支持されて回転体３００ａ、３００ｂがシャフト１０の先端部と密着することができる。
【００８０】
このとき、シャフト１０の先端部はテーパ面１２を形成して、シャフト１０と回転体３００ａ、３００ｂの円錐端部４４は、シャフト１０の直径よりも小さい円状の線形接触部を形成する。
【００８１】
本発明の一実施形態によるローラー付き美容機器は、回転体３００ａ、３００ｂが二つのベアリング２０、３０によって支持され、回転することで、軸方向のブレを防止してボールコンダクターの安定的な回転を可能にする。
【００８２】
また、軸方向のブレを防止して回転体３００ａ、３００ｂとシャフト１０との接触部位の変化による抵抗を最小化して、一定の強さの低周波を安定的に皮膚に伝達することができる。
【００８３】
また、シャフト１０の先端部と回転体３００ａ、３００ｂの円錐端部４４とが円形の線接触をするため、停止しているシャフト１０と回転する回転体３００ａ、３００ｂとの間の摩擦や抵抗の変化を最小限に抑えことができる。
【００８４】
以上、好適な実施形態に関して説明したが、発明の要旨と範囲から逸脱することなく多様な修正及び変形が可能なことは、当業者であれば容易に認識することができるはずであり、これらの変更及び修正はすべて、添付の請求範囲に属することは自明である。
【符号の説明】
【００８５】
１００  本体
２００ａ、２００ｂ  回転体支持部
３００ａ、３００ｂ  回転体
１２  テーパ面
１４  段差部
１６  リング溝
１７  リング溝
１８  リング溝
２０  第１ベアリング
３０  第２ベアリング
４２  溝
４４  円錐端部
５０  ロックナット
５２  ストッパー部
６０  スナップリング 
【図１】
2022501145.tif 000006
【図２】
2022501145.tif 000007
【図３】
2022501145.tif 000008
【図４】
2022501145.tif 000009
【図５】
2022501145.tif 000010
【図６】
2022501145.tif 000011
【図７】
2022501145.tif 000012
【国際調査報告】
2022501145.tif 000013
2022501145.tif 000014
2022501145.tif 000015
2022501145.tif 000016